(57)【特許請求の範囲】
【請求項１】
既設階段の外側に踏面仮設板および蹴込み仮設板から成る仮階段を被設し、続いて、該仮階段を一旦撤去して、上記既設階段をその一部幅員または全幅員に亘って解体撤去し、その後、少なくとも該解体撤去した階段部分に、その端部を支持した状態で上記仮階段を仮設することを特徴とする仮階段の仮設工法。
【請求項２】
上記仮階段の一部あるいは全部を、残存する既設階段に被設した状態で支持せしめることを特徴とする請求項１に記載の仮階段の仮設工法。
【請求項３】
上記仮階段の一部あるいは全部を、残存する既設階段の端面に取り付けた支持ブラケットに支持せしめることを特徴とする請求項１に記載の仮階段の仮設工法。
【請求項４】
上記仮階段の一部あるいは全部を、吊設して支持せしめることを特徴とする請求項１、２または３に記載の仮階段の仮設工法。
【請求項５】
上記仮階段の一部あるいは全部を、先行設置したエスカレータ等の新設構造物に支持せしめることを特徴とする請求項１、２、３または４に記載の仮階段の仮設工法。
【請求項６】
上記仮階段の踏面仮設板を、残存する既設階段の踏面に着脱可能に仮設することを特徴とする請求項１、２、３、４または５に記載の仮階段の仮設工法。
【請求項７】
その一部の幅員あるいは全幅員に亘って解体撤去した階段部分に仮設され、踏面仮設板と蹴込み仮設板により構成される仮階段の構造において、上記蹴込み仮設板の中間部でその長手方向に沿って垂直方向に隙間を形成し得るように分割したことを特徴とする仮階段構造。
【請求項８】
上記踏面仮設板を上下方向に高さ調節自在に構成したことを特徴とする請求項７に記載の仮階段構造。
【請求項９】
分割された上記蹴込み仮設板を継ぎ材により接続することを特徴とする請求項７および８に記載の仮階段構造。
【請求項１０】
その一部の幅員あるいは全幅員に亘って解体撤去した階段部分に仮設され、踏面仮設板と蹴込み仮設板により構成される仮階段の構造において、上記踏面仮設板の中間部でその長手方向に沿って水平方向に隙間を形成し得るように分割したことを特徴とする仮階段構造。
【請求項１１】
上記踏面仮設板の踏面幅を調節自在に構成したことを特徴とする請求項１０に記載の仮階段構造。
【発明の詳細な説明】
【０００１】
【発明の属する技術分野】
本発明は、仮階段の設置工法および仮階段構造に関する。
【０００２】
【従来の技術】
従来、図９（Ａ）に示すように、営業中の駅の既設階段Ｓをその一部幅員Ｓ１（暗い部分）に亘って解体撤去し、その撤去した部分に、図９（Ｂ）に示すように、エスカレータＥの並設工事を行う場合には、図１０に示すように、上記解体撤去した部分を仮囲いＫで養生し、その内側でエスカレータの組み立てや設置工事を行っていた。
しかしながら、上記仮囲いＫによる設置工事では、残された既設階段Ｓの幅が狭くなって混雑する恐れがあり、長期（約３〜４ヶ月）に亘って乗降客に不便を強いるだけでなく、誘導員や仮囲いＫの費用が余分にかかる等の問題点があった。
【０００３】
上記仮囲いＫの弊害を解消するために、図１１に示すように、既存階段の上部に、全幅員に亘って仮階段Ｆを仮設して、階段の有効幅を確保しておき、エスカレータＥの組み立て設置工事時に仮階段Ｆを撤去する工法があった。
しかしながら、この仮階段Ｓ′は、踏面仮設板の裏側（下側）を梁Ｂで支えると共に、該梁Ｂを支柱Ｐにより支持するように構成されているため、仮階段用の資機材が比較的に重厚長大となるだけでなく、支柱Ｐが林立するために、大きな工事空間を確保することが困難となり、また、主構造の踏面仮設板の板厚を大きくしなければならない等の問題点があった。
【０００４】
【発明が解決しようとする課題】
本発明は、上記従来の問題点を解決するためになされたもので、その目的とするところは、仮階段を支柱で支持しないで、その下に大きな工事空間を確保することができるだけでなく、工事期間中においても従来通りの階段有効幅を確保して利用者の利用に供することができ、また、誘導員や仮囲い等の費用を大幅に減縮することができ、さらに、設置や撤去を迅速かつ容易にできる仮階段の設置工法および仮階段構造を提供することにある。
【０００５】
【課題を解決するための手段】
本発明の仮階段の仮設工法は、既設階段の外側に踏面仮設板および蹴込み仮設板から成る仮階段を被設し、続いて、該仮階段を一旦撤去して、上記既設階段をその一部幅員または全幅員に亘って解体撤去し、その後、少なくとも該解体撤去した階段部分に、その端部を支持した状態で上記仮階段を仮設することを特徴とする。また、上記仮階段の一部あるいは全部を、残存する既設階段に被設した状態で支持せしめることを特徴とする。さらに、上記仮階段の一部あるいは全部を、残存する既設階段の端面に取り付けた支持ブラケットに支持せしめることを特徴とする。又更に、上記仮階段の一部あるいは全部を、吊設して支持せしめることを特徴とする。更にまた、上記仮階段の一部あるいは全部を、先行設置したエスカレータ等の新設構造物に支持せしめることを特徴とする。また、上記仮階段の踏面仮設板を、残存する既設階段の踏面に着脱可能に仮設することを特徴とするものである。
【０００６】
本発明の仮階段構造は、その一部の幅員あるいは全幅員に亘って解体撤去した階段部分に仮設され、踏面仮設板と蹴込み仮設板により構成される仮階段の構造において、上記蹴込み仮設板の中間部でその長手方向に沿って垂直方向に隙間を形成し得るように分割したことを特徴とする。また、上記踏面仮設板を上下方向に高さ調節自在に構成したことを特徴とする。さらに、分割された上記蹴込み仮設板を継ぎ材により接続することを特徴とする。又更に、その一部の幅員あるいは全幅員に亘って解体撤去した階段部分に仮設され、踏面仮設板と蹴込み仮設板により構成される仮階段の構造において、上記踏面仮設板の中間部でその長手方向に沿って水平方向に隙間を形成し得るように分割したことを特徴とする。さらに又、上記踏面仮設板の踏面幅を調節自在に構成したことを特徴とするものである。
【０００７】
【発明の実施の形態】
以下、本発明の実施の形態について、図面を参照しながら説明する。
図１（Ａ）において、Ｓは既設階段であって、その踏面Ｓ′および蹴込みＳ″の外側に鋼板等から成る踏面仮設板１および蹴込み仮設板２を被設する。図１（Ｂ）に示すように、上記踏面仮設板１はボルト・ナット等の定着具３により既設階段Ｓに着脱自在に定着しておく。なお、踏面仮設板１と蹴込み仮設板２は、板材を折り曲げ加工して一体形成したり、溶接等により固着して一体化したり、あるいは蝶番等により折り畳み自在に一体化する等、の方法で一体化してもよい。この場合、隣接する踏面仮設板１と蹴込み仮設板２同士のみを一対として一体化したり、あるいは、数対を一体化することができる。
【０００８】
上記既設階段Ｓが駅階段の場合、始発から終電までの乗降客が利用する時間には、踏面仮設板１および蹴込み仮設板２から成る仮階段を既設階段Ｓに被設した状態で利用し、終電から始発までの乗降客が利用しない時には、上記踏面仮設板１と蹴込み仮設板２を既設階段Ｓから一旦撤去して、エスカレータ等の新設構造物を設置するために、既設階段Ｓの一部幅員Ｓ１に亘って解体撤去する。この解体撤去の工事中においても、乗降客が利用する時間帯には、上記仮階段を再び被設しておく。
【０００９】
図１（Ｃ）に示すように、既設階段Ｓの一部幅員Ｓ１の解体撤去が終わると、その撤去後に工事の作業空間Ｒが形成される。この作業空間Ｒは、踏面仮設板１および蹴込み仮設板２から成る仮階段を被設することにより、従来の階段有効幅で利用することができ、乗降客が利用しない時には一時的に撤去しておく。この場合、踏面仮設板１および蹴込み仮設板２の端部を、作業空間Ｒの端部に設けた仮受け段部４により支持せしめる。従って、上記踏面仮設板１および蹴込み仮設板２から成る仮階段は、残存する既設階段Ｓや仮受け段部４に支持せしめることにより、支柱を設けることなく仮設することができるので、乗降客が仮階段を利用している時でも、その仮階段の裏側（下側）でエスカレータの組み立て等の工事を続行することができる。また、乗降客が利用しない時には、仮階段を撤去することにより大きな作業空間Ｒを確保することができる。
【００１０】
上記実施例では、踏面仮設板１と蹴込み仮設板２を既設階段Ｓの全幅員に亘って被設したが、本発明はこれに限定するものではなく、図２に示すように、既設階段Ｓの一部幅員Ｓ１を解体撤去した作業空間Ｒのみを覆ってもよい。上記踏面仮設板１と蹴込み仮設板２の一方の端部は、上記仮受け段部４により支持せしめると共に、他方の端部は残存する既存階段Ｓの残存端部の踏面に重ね合わせ状態で支持せしめる。この場合、重ね合わせにより、残存端部の踏面に対して踏面仮設板１の板厚だけの段差が生じるが、この段差部分を乗降客が踏まないように、例えば、その真上に中手摺りを沿設しておくとよい。また、図２（Ｂ）に示すように、残存する既設階段Ｓの端面に支持ブラケット５を取り付けて、これに踏面仮設板１の端部を支持せしめてもよい。この場合、残存の既設階段Ｓの踏面と踏面仮設板１の表面のレベルを一致させることにより、上記のような段差を避けることができる。
【００１１】
図３（Ａ）は、上記仮階段の外側端部を吊設する場合の実施例を示すもので、上記仮受け段部４による支持に代えて、上記踏面仮設板１と蹴込み仮設板２の一方の端部に吊込み用チャンネル材６を取り付け、該吊込み用チャンネル材６を天井躯体Ｋから吊り降ろした吊込みワイヤーＷにより吊設して支持する。上記踏面仮設板１と蹴込み仮設板２の端部への吊込み用チャンネル材６の取り付けは、例えば、図３（Ｂ）（Ｃ）に示すように、後述する図４の実施例の固定板７を介してボルト・ナット等の締付固定手段により行う。なお、図５に示す実施例の場合にも、上記吊込み用チャンネル材６の適用は可能である。
【００１２】
これまで説明した蹴込み仮設板２は、１枚の鋼板により構成されているが、図４（Ａ）に示すように、踏面仮設板１の長手方向の両端縁（隅および角）に沿ってアングル材２ａ、２ｂをそれぞれ逆方向に向けて一体的に取り付け、これらのアングル材２ａ、２ｂを、それぞれ上段のアングル材２ｂまたは下段のアングル材２ａと組合わせることにより、実質的に蹴込み仮設板２′を構成してもよい。これら踏面仮設板１と両アングル材２ａ、２ｂから成る仮階段は、１枚の板を折り曲げて構成してもよい。なお、蹴込み仮設板２′を構成する上下のアングル材２ｂおよび２ａの間に形成される隙間は、シールテープＴなどの蹴込み面材で目張りしておく。本実施例の段部材により、既存階段Ｓの蹴上げ寸法の違いを吸収して、仮階段を構築することができる。
【００１３】
図４（Ｂ）は、上記図４（Ａ）に示す構造の仮階段を、残存する既設階段Ｓや上記仮受け段部４の端面に定着せしめたアングル状の固定板７により支持する実施例を示すもので、該固定板７に、上下の踏面仮設板１のアングル材２ａおよび２ｂをそれぞれ固定するようになっている。本実施例の構成により、既設階段Ｓの踏面と踏面仮設板１のレベルを一致させることができる。
【００１４】
図５は、仮階段の踏面仮設板１のレベルを調整することのできる実施例を示すもので、既設階段Ｓや上記仮受け段部４の端面に定着せしめた支持ブラケット５に、レベル調整用ネジ５ａを取り付け、該レベル調整用ネジ５ａを介して踏面仮設板１を上下動可能に取り付けている。
【００１５】
上記図４および図５に示す実施例では、蹴込み仮設板２′が上下のアングル材２ａおよび２ｂにより構成されていて、両アングル材２ａおよび２ｂの間に隙間が形成されているため、図６に示すように、蹴込み仮設板２′が長スパンになると、特に上のアングル材２ｂに階段を利用する人の足が掛かって荷重が集中する場合、アングル材２ｂが撓む恐れがある。
この撓みを防止するために、図６（Ｂ）（Ｃ）に示すように、両アングル材２ａおよび２ｂをその中間部において継ぎ材８により接続して、上記集中荷重を分散せしめるようにする。
【００１６】
以上は、蹴込み仮設板２を上下（垂直方向）に分割して蹴込み仮設板２′を構成する実施例であるが、図７に示すように、踏面仮設板１′を水平方向に分割してもよい。すなわち、図７（Ａ）から明らかなように、踏面仮設板１の中央部に沿ってアングル材１ａおよび１ｂを隙間を隔てて配置し、図７（Ｂ）に示すように、既存階段Ｓに掛けるアングル材１ｂの端部を切り欠く。上記アングル材１ａおよび１ｂの隙間を調整することにより、上記踏面仮設板１′の踏面幅を調節することができる。
【００１７】
図８は、本発明の仮階段を構成する踏面仮設板と蹴込み仮設板の両仮設板を兼用することができる仮設板材９を示すもので、その長手方向の端縁に沿って、アリホゾ９ａを形成すると共に、その側面にアリミゾ９ｂを形成している。本構成により、蹴込み部材としての機能を果たす階段用板材９のアリホゾ９ａを、踏板部材としての機能を果たす仮設板材９のアリミゾ９ｂに矢印のように挿入して、両者を一体的に嵌合するようになっている。上記アリホゾ９ａは断続的に形成してもよい。
【００１８】
上記実施例では、営業線の鉄道駅における階段の仮階段について説明したが、本発明の仮階段はこれに限定するものではなく、階段の幅を確保しながら工事を行う必要がある階段であればいずれの階段でもよい。
また、上記実施例では既設階段の一部の階段幅を解体撤去して、それに仮階段を覆設する工法について説明したが、本発明はこれに限定するものではなく、既設階段の全幅に亘って解体撤去し、仮階段を覆設する工事であってもよい。
さらに、上記実施例では、既設階段にエスカレータを併設する設置工事について説明したが、本発明はこれに限定するものではなく、既設階段の一部幅あるいは全幅に亘って、これを解体撤去し、その部分に仮階段を設置する必要があれば、いずれでもよい。
【００１９】
【発明の効果】
本発明によれば、仮階段を支柱で支持しないで、その下に大きな工事空間を確保することができるだけでなく、工事期間中においても従来通りの階段有効幅を確保して利用者の利用に供することができ、また、誘導員や仮囲い等の費用を大幅に減縮することができ、さらに、設置や撤去を迅速かつ容易にできる仮階段の設置工法および仮階段構造を提供することができる。
【図面の簡単な説明】
【図１】本発明の仮階段を既設階段に被設した状態の説明斜視図（Ａ）およびその部分断面図（Ｂ）、既設階段の一部を解体撤去した工事空間に仮階段を覆設した状態の説明斜視図（Ｃ）およびその部分断面図（Ｄ）である。
【図２】図１の実施例の仮階段仮設の別の実施例を示す説明斜視図（Ａ）および仮階段の端部を支持するブラケットを設けた斜視図（Ｂ）である。
【図３】図１の実施例の仮階段仮設の更に別の実施例を示す説明斜視図（Ａ）および仮階段の端部の吊設構造を説明する説明図（Ｂ）、そのイ−イ断面図である。
【図４】別の仮階段の構成を示す断面図（Ａ）およびその取付例を示す断面図（Ｂ）である。
【図５】仮階段の踏面レベル調整の一実施例を示す断面図である。
【図６】仮階段の別の実施例を示す説明斜視図（Ａ）、その要部の拡大説明図（Ｂ）（Ｃ）である。
【図７】仮階段の更に別の実施例を示す説明斜視図（Ａ）、その要部の拡大断面図（Ｂ）である。
【図８】仮階段を構成する部材の別の実施例をしめす説明斜視図である。
【図９】従来技術の説明図である。
【図１０】従来技術の説明図である。
【図１１】従来技術の説明図である。
【符号の説明】
１  踏面仮設板
１′踏面仮設板
２ａ  アングル材
２ｂ  アングル材
２  蹴込み仮設板
２′蹴込み仮設板
３  定着具
４  仮受け段部
５  支持ブラケット
５ａ  レベル調整用ネジ
６  吊込み用チャンネル材
７  固定板
８  継ぎ材
９  階段用板材
９ａ  アリホゾ
９ｂ  アリミゾ
Ｂ  梁
Ｅ  エスカレータ
Ｆ  仮階段
Ｋ  天井躯体
Ｒ  作業空間
Ｓ  既設の階段
Ｓ′踏面
Ｓ″蹴込み
Ｓ１  階段の一部
Ｔ  シールテープ
Ｗ  吊込みワイヤー
【図１】
0003973018.tif 000002
0003973018.tif 000003
【図２】
0003973018.tif 000004
【図３】
0003973018.tif 000005
【図４】
0003973018.tif 000006
【図５】
0003973018.tif 000007
【図６】
0003973018.tif 000008
【図７】
0003973018.tif 000009
【図８】
0003973018.tif 000010
【図９】
0003973018.tif 000011
【図１０】
0003973018.tif 000012
【図１１】
0003973018.tif 000013